(57)【要約】【課題】  コンクリート体の欠けの問題を生じることなく、コンクリート際にねじ部材を打ち込んで効かすことができるコンクリート面へのねじ打ち用下地金物を提供する。【解決手段】  このねじ打ち用下地金物１は、コンクリート体２に表面を露出させて埋め込まれる金物であって、表面板部３と、埋込材部４と、脚部５とを備える。表面板部３は、タップ機能を有するねじ部材７の貫通および引抜抵抗の確保が可能な材質、例えば鋼板等の板部とされる。埋込材部４は、表面板部３の裏面に設けられて前記コンクリート体２に埋め込まれ前記ねじ部材７の前記表面板部３から裏側に突き出た部分を納める部材である。脚部５は、表面板部３から裏側に延び、前記コンクリート体２に埋め込まれて引抜抵抗を得る部分である。【選択図】        図１
2016108720.tif 000002
【特許請求の範囲】
【請求項１】
コンクリート体に表面を露出させて埋め込まれるねじ打ち用下地金物であって、
タップ機能を有するねじ部材の貫通および引抜抵抗の確保が可能な材質の表面板部と、この表面板部の裏面に設けられて前記コンクリート体に埋め込まれ前記ねじ部材の前記表面板部から裏側に突き出た部分を納める埋込材部と、前記表面板部から裏側に延びて前記コンクリート体に埋め込まれる脚部とを備えることを特徴とするコンクリート面へのねじ打ち用下地金物。
【請求項２】
請求項１に記載のコンクリート面へのねじ打ち用下地金物において、前記埋込材部が発泡樹脂からなるコンクリート面へのねじ打ち用下地金物。
【請求項３】
請求項１または請求項２に記載のコンクリート面へのねじ打ち用下地金物であって、前記表面板部の対向する２辺から前記脚部が折れ曲がって延びて、これら表面板部と脚部とが１枚の金属板で断面溝形に折り曲げ加工されたコンクリート面へのねじ打ち用下地金物。
【請求項４】
基礎の立上り部を、前記基礎の先に打設されたコンクリート体であるベース部上に打設する型枠の支持構造であって、
前記基礎の立上り部の片面を成形する型枠材の下端外面に沿う型枠材止め材が、前記ベース部の上面における際部に沿って配置され、前記型枠材止め材の下面に位置して前記ベース部の上面に、請求項１ないし請求項３のいずれか１項に記載のコンクリート面へのねじ打ち用下地金物が埋め込み状態に設けられ、前記型枠材止め材は、この型枠材止め材に上面から貫通して前記コンクリート面へのねじ打ち用下地金物にねじ込まれたタップ機能を有するねじ部材により前記ベース部に固定されていることを特徴とする基礎の型枠支持構造。
【発明の詳細な説明】
【技術分野】
【０００１】
この発明は、コンクリート際にタップ機能を有するねじを打ち込む場合に、コンクリートの欠け等を生じることなくねじ打ちを可能とするねじ打ち用下地金物、およびこの下地金物を用いた基礎の型枠支持構造に関する。
【背景技術】
【０００２】
コンクリート面に、コンクリート用のねじ部材を止め付けることがある。なお、コンクリート基礎において、発泡樹脂ブロックを設けて軽量地盤置き換え構造とすることが提案されている（例えば、特許文献１）。
【先行技術文献】
【特許文献】
【０００３】
【特許文献１】特許第４４４８４７６号公報
【発明の概要】
【発明が解決しようとする課題】
【０００４】
上記のように、コンクリート面にねじ部材を止め付けることがあるが、コンクリート面の際では、ねじ部材の打ち込みを行うとコンクリートの欠け等が生じる恐れがあるため、従来はねじ部材を打ち込むことができなかった。しかし、可能であれば、コンクリート面の際にねじ部材を打ち込みたい場合が多くある。例えば、基礎の立上り部を、先に打設されたベース上に打設する場合に、ベース上に型枠を組むが、その型枠材の下端を支える部材を、前記基礎のベース部に固定したいことがある。このような場合、コンクリート際にねじ打ちを可能とすることが望まれる。
なお、前記特許文献１は、コンクリートに発泡樹種を使用する点では共通するために参考に示したが、軽量地盤への置き換えのためであり、コンクリート際にねじ部材を打ち込む技術とは全く異なっている。
【０００５】
この発明の目的は、コンクリート体の欠けの問題を生じることなく、コンクリート際にねじ部材を打ち込んで効かすことができるコンクリート面へのねじ打ち用下地金物、およびこれを用いて下方のコンクリート体上面の際に型枠材止め材を固定することができる基礎の型枠支持構造を提供することである。
【課題を解決するための手段】
【０００６】
この発明のコンクリート面へのねじ打ち用下地金物は、コンクリート体に表面を露出させて埋め込まれるねじ打ち用下地金物であって、
タップ機能を有するねじ部材の貫通および引抜抵抗の確保が可能な材質の表面板部と、この表面板部の裏面に設けられて前記コンクリート体に埋め込まれ前記ねじ部材の前記表面板部から裏側に突き出た部分を納める埋込材部と、前記表面板部から裏側に延びて前記コンクリート体に埋め込まれる脚部とを備えることを特徴とする。
【０００７】
この構成のねじ打ち用下地金物によると、ねじ部材は、前記表面板部に打ち込まれ、この表面板部を貫通した部分は、前記埋込材部内に納められる。そのため、ねじ部材の打ち込みによる負荷がコンクリート体に生じず、コンクリート面の際であってもコンクリートに欠けの問題を生じることなく前記ねじ部材を打つことができる。また、前記脚部がコンクリート体に埋め込まれるため引抜抵抗が得られ、かつ前記表面板部が前記ねじ部材の引抜抵抗を確保するため、前記ねじ部材でコンクリート体に固定する被固定物を堅固に固定することができる。
なお、前述の「ねじ部材の打ち込み」とは、回転させながら進入させる作業である。また、前記「ねじ部材」は、タップ機能を有するねじ部材、例えばタッピングビスであるが、ドリル機能を有するねじ部材、例えばドリル付きタッピングビスが含まれる。  
【０００８】
この発明のコンクリート面へのねじ打ち用下地金物において、前記埋込材部が発泡樹脂からなるものであっても良い。
前記埋込材部は、木片や中空の金属箱等であっても良いが、発泡樹脂であると、ねじ部材の打ち込みの抵抗が小さく、かつ木片等に比べて朽ち難い。また、中空の箱状とする場合に比べて形状が簡素で安価に製作できる。
【０００９】
この発明のコンクリート面へのねじ打ち用下地金物において、前記表面板部の対向する２辺から前記脚部が折れ曲がって延びて、これら表面板部と脚部とが１枚の金属板で断面溝形に折り曲げ加工されたものであっても良い。
このように１枚の金属板を折り曲げて前記表面板部と複数の脚部とを形成する構成であると、簡単な加工で製造できて、安価に製造できる。また、脚部が板状であるため、コンクリート体に対して反力、つまり引抜抵抗が大きく得られる。
【００１０】
この発明の型枠支持構造は、基礎の立上り部を、前記基礎の先に打設されたコンクリート体であるベース部上に打設する型枠の支持構造であって、
前記基礎の立上り部の片面を成形する型枠材の下端外面に沿う型枠材止め材が、前記ベース部の上面における際部に沿って配置され、前記型枠材止め材の下面に位置して前記ベース部の上面に、この発明の上記いずれかの構成のコンクリート面へのねじ打ち用下地金物が埋め込み状態に設けられ、前記型枠材止め材は、この型枠材止め材に上面から貫通して前記コンクリート面へのねじ打ち用下地金物にねじ込まれたタップ機能を有するねじ部材により前記ベース部に固定されたことを特徴とする。
【００１１】
この構成の型枠支持構造は、ベース部の側面のすぐ近傍から立上り部が突出する形状の基礎を構築する場合にも、その立上り部を成形する型枠材の下端に沿わせる型枠材止め材を、ベース部の欠けの問題を生じることなく、ベース部に固定することができる。
【発明の効果】
【００１２】
この発明のコンクリート面へのねじ打ち用下地金物は、コンクリート体に表面を露出させて埋め込まれるねじ打ち用下地金物であって、タップ機能を有するねじ部材の貫通および引抜抵抗の確保が可能な材質の表面板部と、この表面板部の裏面に設けられて前記コンクリート体に埋め込まれ前記ねじ部材の前記表面板部から裏側に突き出た部分を納める埋込材部と、前記表面板部から裏側に延びて前記コンクリート体に埋め込まれる脚部とを備えるため、コンクリート体の欠けの問題を生じることなく、コンクリート際にねじ部材を打ち込んで効かすことができる。
【００１３】
この発明の型枠支持構造は、基礎の立上り部を、前記基礎の先に打設されたベース部上に打設する型枠の支持構造であって、前記基礎の立上り部の片面を成形する型枠材の下端外面に沿う型枠材止め材が、前記ベース部の上面における際部に沿って配置され、前記型枠材止め材の下面に位置して前記ベース部の上面に、この発明の上記いずれかの構成のコンクリート面へのねじ打ち用下地金物が埋め込み状態に設けられ、前記型枠材止め材は、この型枠材止め材に上面から貫通して前記コンクリート面ねじ打ち用下地金物にねじ込まれたタップ機能を有するねじ部材により前記ベース部に固定されているため、下方のコンクリート体上面の際に型枠材止め材を固定することができる。
【図面の簡単な説明】
【００１４】
【図１】この発明の一実施形態に係るねじ打ち用下地金物のコンクリート体への取付状態を示す斜視図である。
【図２】（Ａ）〜（Ｃ）は、それぞれ同ねじ打ち用下地金物の平面図、正面図、および破断側面図、（Ｄ）はその埋込材部の斜視図である。
【図３】同ねじ打ち用下地金物を用いた型枠支持構造の断面図である。
【図４】他の実施形態に係るねじ打ち用下地金物の斜視図である。
【発明を実施するための形態】
【００１５】
この発明の第１の実施形態を図１ないし図３と共に説明する。このコンクリート面へのねじ打ち用下地金物１は、コンクリート体２に表面を露出させて埋め込まれる金物であって、表面板部３と、埋込材部４と、脚部５とを備える。前記コンクリート体２は、例えば布基礎におけるベース部分である。
【００１６】
表面板部３は、タッピングビス、例えばドリル付きタッピングビスからなるねじ部材７の貫通および引抜抵抗の確保が可能な材質、具体的には鋼板等の板部とされる。埋込材部４は、表面板部３の裏面に設けられて前記コンクリート体２に埋め込まれ前記ねじ部材７の前記表面板部３から裏側に突き出た部分を納める部材である。脚部５は、表面板部３から裏側に延び、前記コンクリート体２に埋め込まれて引抜抵抗を得る部分である。
【００１７】
前記埋込材部４は、例えば発泡スチロール等の発泡樹脂のブロックからなり、表面板部３の裏面の全体に両面テープ（図示せず）または接着剤により貼り付けられる。この例では、埋込材部４は、上面が正方形状の直方体の発砲樹脂からなる。埋込材部４は、発泡樹脂の他に、木片や、中空の金属箱であっても良い。
【００１８】
表面板部３は、図示の例では上面が正方形状ないし矩形状に形成され、この表面板部３の対向する２辺から、前記脚部５が折れ曲がって延び、これら表面板部４と一対の脚部５，５とは、１枚の断面溝形に折り曲げ加工された鋼板等の金属板で構成されている。詳しくは、前記表面板部３は、前記埋込材部４が納まる高さだけ、四辺に立下がり部６が形成され、そのうちの２辺の立下がり部６から前記脚部５，５が延びている。前記四辺の立下がり部６も、表面板部３と同じ１枚の金属板から折り曲げ加工により形成されている。脚部５は、この例では下方が狭まる３角形状とされ、前記コンクリート体２が半乾き状態でコンクリート体２へ差し込み易くしている。
脚部５は、図１，２の例のような三角形状とする代わりに、例えば図４に示すように矩形状の形状としても良い。
【００１９】
このねじ打ち用下地金物１の各部の寸法例を示すと、表面板部３の縦横の寸法ａは３５mm程度、脚部５の突出高さｈ１は２５mm程度であり、前記立下がり部６の高さｈ２の１０mmを含むと、脚部５の全体高さｈは３５mm程度である。表面板部３等を構成する金属板の板厚は、例えば０．９mmである。
【００２０】
このねじ打ち用下地金物１の用い方および作用を説明する。コンクリート体２が打設されて完全には硬化していない状態で、このねじ打ち用下地金物１をコンクリート体２に上面から押し込むことで、コンクリート体２に埋め込む。このとき、ねじ打ち用下地金物１は、脚部５がコンクリート体２の長手方向となる上面側縁２ａと直交する方向で、かつ上面側縁２ａに上面板部３の一辺が沿うように埋め込む。前記のように直交方向に埋め込むのは、埋め込み作業を行い易くするためと、ねじ打ち用下地金物１のコンクリート体２への固定度を上げるためである。
【００２１】
コンクリート体２が硬化すると、ねじ打ち用下地金物１はコンクリート体２に固定され、一対の脚部５，５が深くかつ広い面でコンクリート体２に差し込まれていることで、優れた固定度、つまり引抜抵抗が得られる。
【００２２】
この状態で、表面板部３にねじ部材７を上方より打ち込む。ねじ部材７は、前述のようにドリル付きタッピングねじであり、表面板部３に下孔が形成されていなくても打ち込むことができる。ここで言う打ち込みは、ねじ部材７をその進入方向に回転させながら押し込む作業である。
ねじ部材７の表面板部３よりも下方に突出した部分は、発泡樹脂からなる埋込材部４に納まる。これにより、コンクリート体２はねじ部材７の進入の負荷を与えずに、ねじ部材７をコンクリート体２に固定することができる。そのため、コンクリート体２の前記上面側縁２ａである際にねじ部材７を堅固に固定することができる。
【００２３】
図３は、このねじ打ち用下地金物１を用いた基礎８の型枠支持構造を示す。基礎８は、例えば住宅の布基礎であり、前記コンクリート体２がベース部となり、このベース部の上に立上がり部９を打設する。立上がり部９は、ベース部のコンクリート体２が硬化した後に、このベース部のコンクリート体２の上に対向する型枠材１１，１１からなる型枠１０を組んで、コンクリート打設により構築する。両側の型枠材１１，１１は、外側の側面の下端を桟木等からなる型枠材止め材１２で支持する。型枠材止め材１２は、ベース部のコンクリート体２の際に沿って配置する。
【００２４】
この型枠材止め材１２の前記コンクリート体２への固定に、この実施形態のねじ打ち用下地金物１を用いる。すなわち、コンクリート体２の上面の際に沿って、長手方向の複数箇所にねじ打ち用下地金物１を図１のように埋め込んでおく。これら複数のねじ打ち用下地金物１に渡って型枠材止め材１を載せ、型枠材止め材１の上面から前記ねじ部材７を下端がねじ打ち用下地金物１の埋込材部４に達するまでねじ込む。
【００２５】
このように、この実施形態のねじ打ち用下地金物１を用いることで、コンクリート体２の欠けの問題を生じることなく、コンクリート体２の上面の際にねじ部材７を打ち込んで効かせ、桟木からなる型枠材止め材１２を堅固に固定することができる。
【００２６】
なお、上記実施形態では、型枠材止め材１２の固定にねじ打ち用下地金物１を用いるようにしたが、このねじ打ち用下地金物１は、種々の部材の固定に用いることができる。また、このねじ打ち用下地金物１の脚部５は、図示の各例ではいずれも板状としたが、脚部５は、板状に限るものではなく、引抜抵抗が得られるものであれば、ピン状等であっても良い。
【符号の説明】
【００２７】
１…ねじ打ち用下地金物
２…コンクリート体（ベース部）
３…表面板部
４…埋込材部
５…脚部
６…立下がり部
７…ねじ部材
８…基礎
９…立上がり部
１０…型枠
１１…型枠材
１２…型枠材止め材
【図１】
2016108720.tif 000003
【図２】
2016108720.tif 000004
【図３】
2016108720.tif 000005
【図４】
2016108720.tif 000006